(57)【要約】【課題】  ファンによらない廃過熱蒸気の循環方法で、連続処理庫内の温度コントロールが容易で、庫内に溜まる凝縮ドレンの蒸発線熱および排気に伴う熱損失がなく、ワークへの伝熱が効果的な、廃過熱蒸気の回収および再生利用方法とその装置を提供する。【解決手段】  連続処理庫内の吸込ヘッダに吸引用配管を接続する。吸引用配管をデフューザの低圧部に接続し、デフューザの上流側の過熱蒸気発生器を接続し、過熱蒸気発生器の上流側の過熱蒸気ヘッダに接続する。過熱蒸気ヘッダのノズルから放出された過熱蒸気はコンベア上のワークを処理し廃過熱蒸気として吸込ヘッダに回収される。処理庫内の廃過熱蒸気は吸込ヘッダにより効果的に回収されデフューザに吸引され飽和蒸気供給管から飽和蒸気と混合され過熱蒸気発生器で過熱蒸気として再生利用される。【選択図】 図１
2010065869.tif 000002
【特許請求の範囲】
【請求項１】
対象物を特定の方向に搬送する搬送路と、上記搬送路に沿って設けられた第1の加熱室と、上記第1の加熱室に過熱蒸気を供給する加熱蒸気供給手段と、上記第1の加熱室から上記加熱蒸気を回収する第1の過熱蒸気回収手段と、上記第1の過熱蒸気回収手段から回収される過熱蒸気の流量を調整する第1の調整手段と、上記第1の加熱室に対し、上記特定の方向に隣接して設けられた第２の加熱室と、上記第２の加熱室から上記過熱蒸気を回収する第２の過熱蒸気回収手段と、上記第２の過熱蒸気回収手段から回収される過熱蒸気の流量を調整する第２の調整手段と、を具備する、対象物の連続処理装置。
【請求項２】
上記第１の加熱室に対し、上記特定の方向に隣接して設けられた第３の加熱室と、上記第３の加熱室から上記過熱蒸気を回収する第３の過熱蒸気回収手段と、上記第３の過熱蒸気回収手段から回収される過熱蒸気の流量を調整する第３の調整手段と、を具備する、請求項１にかかる対象物の連続処理装置。
【請求項３】
上記第１の加熱室に対し、上記特定の方向に隣接して設けられた第３の加熱室と、上記第３の加熱室から上記過熱蒸気を回収する第３の過熱蒸気回収手段と、上記第３の過熱蒸気回収手段から回収される過熱蒸気の流量が上記第２の調整手段によって行われることを特長とする、請求項１にかかる対象物の連続処理装置。
【請求項４】
上記第１の加熱室の温度よりも上記第２の加熱室の温度を低くする第１の冷却手段が上記第２の加熱室に設けられていることを特長とする、請求項１ないし３にかかる対象物の連続処理装置。
【請求項５】
上記第１の加熱室の温度よりも上記第３の加熱室の温度を低くする第２の冷却手段が上記第３の加熱室に設けられていることを特長とする、請求項１ないし４にかかる対象物の連続処理装置。
【発明の詳細な説明】
【技術分野】
【０００１】
本発明は、過熱蒸気を用いた連続処理庫における、処理庫での使用後廃過熱蒸気を回収し再利用する方法と装置に関するものである。
【背景技術】
【０００２】
過熱蒸気を用いた連続処理庫においては、過熱蒸気発生器の下流で発生させた０．２ＭＰａ程度の飽和蒸気雰囲気にシロッコファン(遠心式ファン)で圧送しているが、ファンでは一般的に０．００５ＭＰａ以下の吐出圧しかとれず、さらに普通シロッコファンでは０．００１ＭＰａの吐出圧とされており、この条件下での系内への圧送は難しく、流量制御上も困難である（例えば、特許文献１参照）。
【０００３】
また、使用する過熱蒸気量が少なくて済むバッチ処理方式においても系内の圧力バランスを取る必要性と制御を容易にするため過熱蒸気の循環には、吐出圧力の低いファンではなくエジェクタを採用している（例えば、特許文献２参照）。
【特許文献１】特開２００３−２１３０３号公報
【特許文献２】特開２００６−１３８５２２号公報
【発明の開示】
【発明が解決しようとする課題】
【０００４】
特許文献１に記載のファンによる廃過熱蒸気の循環では、連続処理庫内圧力とファンの吐出圧力の関係から圧力バランス上廃過熱蒸気を循環させることは難しく、また、ファンの上流に加熱器が位置する構成となっており廃過熱蒸気の膨張に伴う圧力抵抗も予想され廃過熱蒸気量の制御も困難である。
【０００５】
また、かかる方法では、ファンの下流に排気ラインが位置する構成のため、外気の吸引と順管ラインの方熱により温度が低下し庫内の温度コントロールが困難である。
【０００６】
更に、庫内に溜まる凝縮ドレンの蒸発線熱および排気に伴う熱損失があるという問題もある。
【０００７】
他方、ファンによる循環ラインの途中に加熱器を設けた場合、２流体混合気体の温度制御になるため制御が難しい。
【０００８】
また、過熱蒸気はワークに放射された後庫内で滞留し一部対流伝熱でワークに伝熱されるが、ファンによる循環を考慮してもワークへの伝熱が効果的でないという問題もある。
【０００９】
本発明は、上記の諸問題点に鑑み、その問題点を解決すべく創案されたものであって、
基本機能と性能のほか稼働時の安全性も確認したものである。
【課題を解決するための手段】
【００１０】
請求項１に記載の発明は、対象物を特定の方向に搬送する搬送路と、上記搬送路に沿って設けられた第1の加熱室と、上記第1の加熱室に過熱蒸気を供給する加熱蒸気供給手段と、上記第1の加熱室から上記加熱蒸気を回収する第1の過熱蒸気回収手段と、上記第1の過熱蒸気回収手段から回収される過熱蒸気の流量を調整する第1の調整手段と、上記第1の加熱室に対し、上記特定の方向に隣接して設けられた第２の加熱室と、上記第２の加熱室から上記過熱蒸気を回収する第２の過熱蒸気回収手段と、上記第２の過熱蒸気回収手段から回収される過熱蒸気の流量を調整する第２の調整手段と、を具備する、対象物の連続処理装置である。
【００１１】
請求項２に記載の発明は、上記第１の加熱室に対し、上記特定の方向に隣接して設けられた第３の加熱室と、上記第３の加熱室から上記過熱蒸気を回収する第３の過熱蒸気回収手段と、上記第３の過熱蒸気回収手段から回収される過熱蒸気の流量を調整する第３の調整手段と、を具備する、請求項１にかかる対象物の連続処理装置である。
【００１２】
請求項３に記載の発明は、上記第１の加熱室に対し、上記特定の方向に隣接して設けられた第３の加熱室と、上記第３の加熱室から上記過熱蒸気を回収する第３の過熱蒸気回収手段と、上記第３の過熱蒸気回収手段から回収される過熱蒸気の流量が上記第２の調整手段によって行われることを特長とする、請求項１にかかる対象物の連続処理装置である。
【００１３】
請求項４に記載の発明は、上記第１の加熱室の温度よりも上記第３の加熱室の温度を低くする第２の冷却手段が上記第３の加熱室に設けられていることを特長とする、請求項１ないし４にかかる対象物の連続処理装置である。
【００１４】
請求項５に記載の発明は、上記第１の加熱室の温度よりも上記第３の加熱室の温度を低くする第２の冷却手段が上記第３の加熱室に設けられていることを特長とする、請求項１ないし４にかかる対象物の連続処理装置である。
【発明の効果】
【００１５】
請求項１、２、３、４、５、に記載の発明によれば、過熱蒸気を用いた連続処理庫において発生する廃過熱蒸気を、連続かつ効果的に全て回収し、回収過程で一部の廃過熱蒸気を利用しワークの予熱と予冷機能を持たせながら回収した廃過熱蒸気を再利用可能な状態に再生できる。
【発明を実施するための最良の形態】
【００１６】
本発明の一例として過熱蒸気を用いた連続処理庫における廃過熱蒸気の回収および再生利用方法と装置を図面に基づいて説明する。図１は、連続処理庫における廃過熱蒸気の回収および再生利用するための装置構成を示したものである。
【００１７】
飽和蒸気発生用ボイラ１からの飽和蒸気は気体混合器であるデフューザ２に配管で接続され、デフューザ２で廃過熱蒸気回収ライン９からの廃過熱蒸気と混合された後過熱蒸気発生器３で過熱蒸気となり、連続処理庫８内に設置された過熱蒸気ヘッダ―４により非加熱物のワーク１１に放射される。
【００１８】
ワーク１１を過熱した過熱蒸気は、廃過熱蒸気となりその大部分が連続処理庫８内下部に設置された廃過熱蒸気吸引ヘッダ１２により廃過熱蒸気回収ライン(ａ)９を通りデフューザ２の吸引力により吸引回収される。
【００１９】
また、処理庫８と連通するコンベア７上に乗ったワーク１１が処理庫に入るワーク入口１４に位置するワーク予熱部５と、ワーク１１が連続処理庫８から出るワーク出口１５に位置するワーク予冷部６を廃過熱蒸気の一部が通過し、廃過熱蒸気回収ライン（ｂ）１０を経てデフューザ２により吸引回収される。
【００２０】
この過程でコンベア７上に乗ったワーク１１は、連続処理庫８のワーク入口１４に位置するワーク予熱部５で廃過熱蒸気により予熱されながら連続処理庫８内にコンベア７により移動進行し、連続処理庫８内中心部で加熱される。ワーク１１はコンベア７上でさらに過熱されながら移動進行し、連続処理庫８から出るワーク出口１５に位置するワーク予冷部６へと向かいここで廃過熱蒸気により予冷されながら連続処理庫８のワーク出口１５へと移動進行する。
【００２１】
連続処理庫８の底部ローポイントに運転停止中に滞留する可能性がある凝縮水は、起動前に凝縮水回収ライン１１よりボイラ１に回収する。
【００２２】
前記までに説明したように本廃過熱蒸気の回収および再生利用方法とその装置においては、全ての運用モードを通して廃過熱蒸気やドレン等を装置外部へ放出することなく装置内で効果的に回収し再生利用することができるため、高い省エネルギー効果が期待できる。
【実施例】
【００２３】
実施例については、前記発明を実施するための最良の形態を代用する。
【図面の簡単な説明】
【００２４】
【図１】連続処理庫における廃過熱蒸気の回収および再生利用するための装置構成
【符号の説明】
【００２５】
１、ボイラ
２、デフューザ
３、過熱蒸気発生器
４、過熱蒸気ヘッダ
５、ワーク予熱部
６、ワーク予冷部
７、コンベア
８、連続処理庫
９、廃過熱蒸気回収ライン（ａ）
１０、廃過熱蒸気回収ライン（ｂ）
１１、凝縮水回収ライン
１２、廃過熱蒸気吸引ヘッダ
１３、ワーク
１４、ワーク入口
１５、ワーク出口
【図１】
2010065869.tif 000003